(57)【要約】【課題】既存の文書の色変換を行うことにより、文書の読み易さを向上させることのできる画像処理装置を提供する。【解決手段】文字を含む画像データから文字が表示されている文字領域を抽出する文字領域抽出手段１０２と、文字領域抽出手段１０２により抽出された文字領域中の文字の文字色を予め定められた規定文字色に変換する文字色変換手段１０６と、文字領域抽出手段１０２により抽出された文字領域中の文字以外の領域である背景の背景色を予め定められた規定背景色に変換する背景色変換手段１０６とを備えた。【選択図】        図１
2007088782.tif 000002
【特許請求の範囲】
【請求項１】
文字を含む画像データから文字が表示されている文字領域を抽出する文字領域抽出手段と、
前記文字領域抽出手段により抽出された前記文字領域中の文字の文字色を予め定められた規定文字色に変換する文字色変換手段と、
前記文字領域抽出手段により抽出された前記文字領域中の文字以外の領域である背景の背景色を予め定められた規定背景色に変換する背景色変換手段と
を備えたことを特徴とする画像処理装置。
【請求項２】
前記文字領域抽出手段により抽出された前記文字領域中に含まれる各文字の文字色を特定する文字色特定手段と、
前記文字色特定手段により特定された前記文字色に基づいて、前記文字領域中に含まれる複数の文字の中から強調して表示されている強調文字を抽出する強調文字抽出手段と、
前記強調文字抽出手段により抽出された前記強調文字の表示態様を変更する強調処理手段と
をさらに備え、
前記文字色変換手段は、前記強調文字および当該強調文字以外の文字それぞれを、同一の前記規定文字色に変換することを特徴とする請求項１に記載の画像処理装置。
【請求項３】
前記強調処理手段は、前記強調文字のフォントを変更することを特徴とする請求項２に記載の画像処理装置。
【請求項４】
前記強調処理手段は、前記強調文字の領域を網掛け表示することを特徴とする請求項２に記載の画像処理装置。
【請求項５】
前記文字領域抽出手段により抽出された前記文字領域中の文字の行方向を判定する行方向判定手段をさらに備え、
前記強調処理手段は、前記行方向判定手段により判定された前記行方向に基づいて定まる位置に前記強調文字であることを示すマークを付与することを特徴とする請求項２に記載の画像処理装置。
【請求項６】
前記強調処理手段は、前記行方向判定手段が行方向を横と判定した場合には、前記文字の上または下に前記マークを付与することを特徴とする請求項５に記載の画像処理装置。
【請求項７】
前記強調処理手段は、前記行方向判定手段が行方向を縦と判定した場合には、前記文字の右または左に前記マークを付与することを特徴とする請求項５または６に記載の画像処理装置。
【請求項８】
前記強調処理手段は、前記行方向判定手段により判定された前記行方向に基づいて定まる位置に前記強調文字であることを示す前記マークとして、強調線を付与することを特徴とする請求項５から７のいずれか一項に記載の画像処理装置。
【請求項９】
前記強調処理手段は、前記行方向判定手段により判定された前記行方向に基づいて定まる位置に前記強調文字であることを示す前記マークとして、ドットを付与することを特徴とする請求項５から７のいずれか一項に記載の画像処理装置。
【請求項１０】
前記行方向判定手段により判定された行方向において、前記強調文字の開始位置および前記強調文字の終了位置を特定する強調開始終了位置特定手段をさらに備え、
前記強調処理手段は、前記強調開始終了位置特定手段により特定された前記強調文字開始位置および前記強調文字終了位置のそれぞれに対し、前記強調文字開始位置であることを示す開始マークおよび前記強調文字終了位置であることを示す終了マークを付与することを特徴とする請求項５から９のいずれか一項に記載の画像処理装置。
【請求項１１】
前記強調処理手段は、前記開始マークおよび前記終了マークとして括弧を付与することを特徴とする請求項１０に記載の画像処理装置。
【請求項１２】
前記文字領域抽出手段により抽出された前記文字領域を１つのコラムが記載されたコラム領域を単位として分割する領域分割手段をさらに備え、
前記背景色変換手段は、前記領域分割手段により得られた前記コラム領域毎に異なる前記規定背景色に変換することを特徴とする請求項１から１１のいずれか一項に記載の画像処理装置。
【請求項１３】
複数の前記規定背景色を保持する規定背景色保持手段をさらに備え、
前記背景色変換手段は、各コラム領域の前記背景を前記規定背景色保持手段が保持する前記規定背景色に変換することを特徴とする請求項１２に記載の画像処理装置。
【請求項１４】
前記領域分割手段により得られた所定の前記コラム領域と、当該コラム領域に対する前記規定背景色の指定を受け付ける規定背景色指定受付手段をさらに備え、
前記背景色変換手段は、前記規定背景色指定受付手段が指定を受け付けた前記コラム領域の前記背景色を、前記規定背景色指定受付手段が指定を受け付けた前記規定背景色に変換することを特徴とする請求項１３に記載の画像処理装置。
【請求項１５】
前記文字領域抽出手段により抽出された前記文字領域を１つのコラムが記載されたコラム領域を単位として分割する領域分割手段をさらに備え、
前記文字色変換手段は、前記領域分割手段により得られた前記コラム領域毎に異なる前記規定文字色に変換することを特徴とする請求項１から１４のいずれか一項に記載の画像処理装置。
【請求項１６】
複数の前記規定文字色を保持する規定文字色保持手段をさらに備え、
前記文字色変換手段は、各コラム領域の前記文字を前記規定文字色保持手段が保持する前記規定文字色に変換することを特徴とする請求項１５に記載の画像処理装置。
【請求項１７】
前記領域分割手段により得られた所定の前記コラム領域の前記文字に対する規定文字色の指定を受け付ける規定文字色指定受付手段をさらに備え、
前記背景色変換手段は、前記規定文字色指定受付手段が指定を受け付けた前記コラム領域の前記文字色を、指定を受け付けた前記規定文字色に変換することを特徴とする請求項１６に記載の画像処理装置。
【請求項１８】
前記文字領域抽出手段により抽出された前記文字領域を１つのコラムが記載されたコラム領域を単位として分割する領域分割手段と、
前記規定文字色と前記規定背景色とを対応付けて保持する規定色保持手段と
をさらに備え、
前記文字色変換手段は、前記領域分割手段により得られた各コラム領域の前記文字色を、前記規定色保持手段が保持する異なる前記規定文字色に変換し、
前記背景色変換手段は、前記領域分割手段により得られた前記コラム領域の前記背景色を、前記規定色保持手段において当該コラム領域の前記規定文字色に対応付けられている前記規定背景色に変換することを特徴とする請求項１から１１のいずれか一項に記載の画像処理装置。
【請求項１９】
所定の色と、当該色に対する変換色とを対応付けて保持する変換色保持手段をさらに備え、
前記文字色変換手段は、前記変換色保持手段において記文字色に対応付けられている前記変換色を前記規定文字色として特定し、前記文字色を特定した前記規定文字色に変換することを特徴とする請求項１から１８のいずれか一項に記載の画像処理装置。
【請求項２０】
所定の色と、当該色に対する変換色とを対応付けて保持する変換色保持手段をさらに備え、
前記背景色変換手段は、前記変換色保持手段において前記背景色に対応付けられている前記変換色を前記規定背景色として特定し、前記背景色を特定した前記規定背景色に変換することを特徴とする請求項１から１９のいずれか一項に記載の画像処理装置。
【請求項２１】
前記文字領域抽出手段により抽出された前記文字領域中の前記背景に対し、地肌処理を施す地肌処理手段をさらに備え、
前記背景色変換手段は、前記地肌処理手段により地肌処理が施された後の前記背景領域を前記規定背景色に変換することを特徴とする請求項１から２０のいずれか一項に記載の画像処理装置。
【請求項２２】
前記文字領域抽出手段により抽出された前記文字領域中の前記文字に対し、高解像度化処理を施す高解像度化処理手段をさらに備え、
前記文字色変換手段は、前記高解像度化処理手段により高解像度化処理が施された後の前記文字を前記規定文字色に変換することを特徴とする請求項１から２１のいずれか一項に記載の画像処理装置。
【請求項２３】
文字を含む画像データから文字が表示されている文字領域を抽出する文字領域抽出ステップと、
前記文字領域抽出ステップにおいて抽出された前記文字領域中の文字の文字色を予め定められた規定文字色に変換する文字色変換ステップと、
前記文字領域抽出ステップにおいて抽出された前記文字領域中の文字以外の領域である背景の背景色を予め定められた規定背景色に変換する背景色変換ステップと
を有することを特徴とする画像処理方法。
【請求項２４】
請求項２３に記載の画像処理方法をコンピュータに実行させることを特徴とする画像処理プログラム。
【発明の詳細な説明】
【技術分野】
【０００１】
本発明は、文字を含む画像データを処理する画像処理装置、画像処理方法および画像処理プログラムに関するものである。
【背景技術】
【０００２】
近年、バリアフリーやユニバーサルデザインの動きに伴い、高齢者、視覚や色覚に障害を持つ人たちにも見やすい文書作成が重要となっている。特に、文字と文字以外の領域、すなわち地肌の色の組み合わせ方を工夫することにより、文字の視認性を向上させることの重要性が認識されている。また、図やグラフにおける色使いの工夫も重要視されてきている。例えば、色使いや文字の太さを補正することにより、見易い地図を印刷する方法が開示されている（例えば、「特許文献１」参照）。このように、文書作成においては、バリアフリー的な観点から色使いなどが工夫されてゆくことが期待されている。
【０００３】
また、スキャンされた画像に対する様々な色補正処理が組み込まれた画像機器が知られているが、これらは、もとの色味を保持しながら、紙印刷や画面表示におけるコントラストや階調性を改善することを目的としている（例えば、「特許文献２、特許文献３」参照）。
【０００４】
【特許文献１】実用新案登録第３１０１１０５号公報
【特許文献２】特開２００４−２５２８６６号公報
【特許文献３】特開２００１−２１６４９８号公報
【発明の開示】
【発明が解決しようとする課題】
【０００５】
しかしながら、作成された文書自体の配色や構成自体が適切でないような文書の場合には、上記のようにコントラストや階調性を改善しても読みやすさを向上させることは困難である。特に、バリアフリー的な視点からの作成がなされていないため、視覚に不自由さや障害を持つ人にとって、読みづらいものが多く存在する。
【０００６】
本発明は、上記に鑑みてなされたものであって、既存の文書の色変換を行うことにより、文書の読み易さを向上させることのできる画像処理装置を提供することを目的とする。
【課題を解決するための手段】
【０００７】
上述した課題を解決し、目的を達成するために、請求項１にかかる発明は、画像処理装置であって、文字を含む画像データから文字が表示されている文字領域を抽出する文字領域抽出手段と、前記文字領域抽出手段により抽出された前記文字領域中の文字の文字色を予め定められた規定文字色に変換する文字色変換手段と、前記文字領域抽出手段により抽出された前記文字領域中の文字以外の領域である背景の背景色を予め定められた規定背景色に変換する背景色変換手段とを備えたことを特徴とする。
【０００８】
また、請求項２にかかる発明は、請求項１に記載の画像処理装置であって、前記文字領域抽出手段により抽出された前記文字領域中に含まれる各文字の文字色を特定する文字色特定手段と、前記文字色特定手段により特定された前記文字色に基づいて、前記文字領域中に含まれる複数の文字の中から強調して表示されている強調文字を抽出する強調文字抽出手段と、前記強調文字抽出手段により抽出された前記強調文字の表示態様を変更する強調処理手段とをさらに備え、前記文字色変換手段は、前記強調文字および当該強調文字以外の文字それぞれを、同一の前記規定文字色に変換することを特徴とする。
【０００９】
また、請求項３にかかる発明は、請求項２に記載の画像処理装置であって、前記強調処理手段は、前記強調文字のフォントを変更することを特徴とする。
【００１０】
また、請求項４にかかる発明は、請求項２に記載の画像処理装置であって、前記強調処理手段は、前記強調文字の領域を網掛け表示することを特徴とする。
【００１１】
また、請求項５にかかる発明は、請求項２に記載の画像処理装置であって、前記文字領域抽出手段により抽出された前記文字領域中の文字の行方向を判定する行方向判定手段をさらに備え、前記強調処理手段は、前記行方向判定手段により判定された前記行方向に基づいて定まる位置に前記強調文字であることを示すマークを付与することを特徴とする。
【００１２】
また、請求項６にかかる発明は、請求項５に記載の画像処理装置であって、前記強調処理手段は、前記行方向判定手段が行方向を横と判定した場合には、前記文字の上または下に前記マークを付与することを特徴とする。
【００１３】
また、請求項７にかかる発明は、請求項５または６に記載の画像処理装置であって、前記強調処理手段は、前記行方向判定手段が行方向を縦と判定した場合には、前記文字の右または左に前記マークを付与することを特徴とする。
【００１４】
また、請求項８にかかる発明は、請求項５から７のいずれか一項に記載の画像処理装置であって、前記強調処理手段は、前記行方向判定手段により判定された前記行方向に基づいて定まる位置に前記強調文字であることを示す前記マークとして、強調線を付与することを特徴とする。
【００１５】
また、請求項９にかかる発明は、請求項５から７のいずれか一項に記載の画像処理装置であって、前記強調処理手段は、前記行方向判定手段により判定された前記行方向に基づいて定まる位置に前記強調文字であることを示す前記マークとして、ドットを付与することを特徴とする。
【００１６】
また、請求項１０にかかる発明は、請求項５から９のいずれか一項に記載の画像処理装置であって、前記行方向判定手段により判定された行方向において、前記強調文字の開始位置および前記強調文字の終了位置を特定する強調開始終了位置特定手段をさらに備え、前記強調処理手段は、前記強調開始終了位置特定手段により特定された前記強調文字開始位置および前記強調文字終了位置のそれぞれに対し、前記強調文字開始位置であることを示す開始マークおよび前記強調文字終了位置であることを示す終了マークを付与することを特徴とする。
【００１７】
また、請求項１１にかかる発明は、請求項１０に記載の画像処理装置であって、前記強調処理手段は、前記開始マークおよび前記終了マークとして括弧を付与することを特徴とする。
【００１８】
また、請求項１２にかかる発明は、請求項１から１１のいずれか一項に記載の画像処理装置であって、前記文字領域抽出手段により抽出された前記文字領域を１つのコラムが記載されたコラム領域を単位として分割する領域分割手段をさらに備え、前記背景色変換手段は、前記領域分割手段により得られた前記コラム領域毎に異なる前記規定背景色に変換することを特徴とする。
【００１９】
また、請求項１３にかかる発明は、請求項１２に記載の画像処理装置であって、複数の前記規定背景色を保持する規定背景色保持手段をさらに備え、前記背景色変換手段は、各コラム領域の前記背景を前記規定背景色保持手段が保持する前記規定背景色に変換することを特徴とする。
【００２０】
また、請求項１４にかかる発明は、請求項１３に記載の画像処理装置であって、前記領域分割手段により得られた所定の前記コラム領域と、当該コラム領域に対する前記規定背景色の指定を受け付ける規定背景色指定受付手段をさらに備え、前記背景色変換手段は、前記規定背景色指定受付手段が指定を受け付けた前記コラム領域の前記背景色を、前記規定背景色指定受付手段が指定を受け付けた前記規定背景色に変換することを特徴とする。
【００２１】
また、請求項１５にかかる発明は、請求項１から１４のいずれか一項に記載の画像処理装置であって、前記文字領域抽出手段により抽出された前記文字領域を１つのコラムが記載されたコラム領域を単位として分割する領域分割手段をさらに備え、前記文字色変換手段は、前記領域分割手段により得られた前記コラム領域毎に異なる前記規定文字色に変換することを特徴とする。
【００２２】
また、請求項１６にかかる発明は、請求項１５に記載の画像処理装置であって、複数の前記規定文字色を保持する規定文字色保持手段をさらに備え、前記文字色変換手段は、各コラム領域の前記文字を前記規定文字色保持手段が保持する前記規定文字色に変換することを特徴とする。
【００２３】
また、請求項１７にかかる発明は、請求項１６に記載の画像処理装置であって、前記領域分割手段により得られた所定の前記コラム領域の前記文字に対する規定文字色の指定を受け付ける規定文字色指定受付手段をさらに備え、前記背景色変換手段は、前記規定文字色指定受付手段が指定を受け付けた前記コラム領域の前記文字色を、指定を受け付けた前記規定文字色に変換することを特徴とする。
【００２４】
また、請求項１８にかかる発明は、請求項１から１１のいずれか一項に記載の画像処理装置であって、前記文字領域抽出手段により抽出された前記文字領域を１つのコラムが記載されたコラム領域を単位として分割する領域分割手段と、前記規定文字色と前記規定背景色とを対応付けて保持する規定色保持手段とをさらに備え、前記文字色変換手段は、前記領域分割手段により得られた各コラム領域の前記文字色を、前記規定色保持手段が保持する異なる前記規定文字色に変換し、前記背景色変換手段は、前記領域分割手段により得られた前記コラム領域の前記背景色を、前記規定色保持手段において当該コラム領域の前記規定文字色に対応付けられている前記規定背景色に変換することを特徴とする。
【００２５】
また、請求項１９にかかる発明は、請求項１から１８のいずれか一項に記載の画像処理装置であって、所定の色と、当該色に対する変換色とを対応付けて保持する変換色保持手段をさらに備え、前記文字色変換手段は、前記変換色保持手段において記文字色に対応付けられている前記変換色を前記規定文字色として特定し、前記文字色を特定した前記規定文字色に変換することを特徴とする。
【００２６】
また、請求項２０にかかる発明は、請求項１から１９のいずれか一項に記載の画像処理装置であって、所定の色と、当該色に対する変換色とを対応付けて保持する変換色保持手段をさらに備え、前記背景色変換手段は、前記変換色保持手段において前記背景色に対応付けられている前記変換色を前記規定背景色として特定し、前記背景色を特定した前記規定背景色に変換することを特徴とする。
【００２７】
また、請求項２１にかかる発明は、請求項１から２０のいずれか一項に記載の画像処理装置であって、前記文字領域抽出手段により抽出された前記文字領域中の前記背景に対し、地肌処理を施す地肌処理手段をさらに備え、前記背景色変換手段は、前記地肌処理手段により地肌処理が施された後の前記背景領域を前記規定背景色に変換することを特徴とする。
【００２８】
また、請求項２２にかかる発明は、請求項１から２１のいずれか一項に記載の画像処理装置であって、前記文字領域抽出手段により抽出された前記文字領域中の前記文字に対し、高解像度化処理を施す高解像度化処理手段をさらに備え、前記文字色変換手段は、前記高解像度化処理手段により高解像度化処理が施された後の前記文字を前記規定文字色に変換することを特徴とする。
【００２９】
また、請求項２３にかかる発明は、画像処理方法であって、文字を含む画像データから文字が表示されている文字領域を抽出する文字領域抽出ステップと、前記文字領域抽出ステップにおいて抽出された前記文字領域中の文字の文字色を予め定められた規定文字色に変換する文字色変換ステップと、前記文字領域抽出ステップにおいて抽出された前記文字領域中の文字以外の領域である背景の背景色を予め定められた規定背景色に変換する背景色変換ステップとを有することを特徴とする。
【００３０】
また、請求項２４にかかる発明は、画像処理プログラムであって、文字を含む画像データから文字が表示されている文字領域を抽出する文字領域抽出ステップと、前記文字領域抽出ステップにおいて抽出された前記文字領域中の文字の文字色を予め定められた規定文字色に変換する文字色変換ステップと、前記文字領域抽出ステップにおいて抽出された前記文字領域中の文字以外の領域である背景の背景色を予め定められた規定背景色に変換する背景色変換ステップとを有することを特徴とする。
【発明の効果】
【００３１】
請求項１にかかる発明によれば、文字領域抽出手段が、文字を含む画像データから文字が表示されている文字領域を抽出し、文字色変換手段が、文字領域抽出手段により抽出された文字領域中の文字の文字色を予め定められた規定文字色に変換し、背景色変換手段が、文字領域抽出手段により抽出された文字領域中の文字以外の領域である背景の背景色を予め定められた規定背景色に変換するので、文書をより見易い色に変換することができるという効果を奏する。
【００３２】
また、請求項２にかかる発明によれば、文字色特定手段が、文字領域抽出手段により抽出された文字領域中に含まれる各文字の文字色を特定し、強調文字抽出手段が、文字色特定手段により特定された文字色に基づいて、文字領域中に含まれる複数の文字の中から強調して表示されている強調文字を抽出し、強調処理手段が、強調文字抽出手段により抽出された強調文字の表示態様を変更し、文字色変換手段が、強調文字および当該強調文字以外の文字それぞれを、同一の規定文字色に変換するので、文書中に含まれる強調文字を容易に判別することができるという効果を奏する。
【００３３】
また、請求項３にかかる発明によれば、強調処理手段が、強調文字のフォントを変更するので、文書中に含まれる強調文字を容易に判別することができるという効果を奏する。
【００３４】
また、請求項４にかかる発明によれば、強調処理手段が、強調文字の領域を網掛け表示するので、文書中に含まれる強調文字を容易に判別することができるという効果を奏する。
【００３５】
また、請求項５にかかる発明によれば、行方向判定手段が、文字領域抽出手段により抽出された文字領域中の文字の行方向を判定し、強調処理手段が、行方向判定手段により判定された行方向に基づいて定まる位置に強調文字であることを示すマークを付与するので、文書中に含まれる強調文字を容易に判別することができるという効果を奏する。
【００３６】
また、請求項６にかかる発明によれば、強調処理手段が、行方向判定手段が行方向を横と判定した場合には、文字の上または下にマークを付与するので、文書中に含まれる強調文字を容易に判別することができるという効果を奏する。
【００３７】
また、請求項７にかかる発明によれば、強調処理手段が、行方向判定手段が行方向を縦と判定した場合には、文字の右または左にマークを付与するので、文書中に含まれる強調文字を容易に判別することができるという効果を奏する。
【００３８】
また、請求項８にかかる発明によれば、強調処理手段が、行方向判定手段により判定された行方向に基づいて定まる位置に強調文字であることを示すマークとして、強調線を付与するので、文書中に含まれる強調文字を容易に判別することができるという効果を奏する。
【００３９】
また、請求項９にかかる発明によれば、強調処理手段が、行方向判定手段により判定された行方向に基づいて定まる位置に強調文字であることを示すマークとして、ドットを付与するので、文書中に含まれる強調文字を容易に判別することができるという効果を奏する。
【００４０】
また、請求項１０にかかる発明によれば、強調開始終了位置特定手段が、行方向判定手段により判定された行方向において、強調文字の開始位置および強調文字の終了位置を特定し、強調処理手段が、強調開始終了位置特定手段により特定された強調文字開始位置および強調文字終了位置のそれぞれに対し、強調文字開始位置であることを示す開始マークおよび強調文字終了位置であることを示す終了マークを付与するので、文書中に含まれる強調文字を容易に判別することができるという効果を奏する。
【００４１】
また、請求項１１にかかる発明によれば、強調処理手段が、開始マークおよび終了マークとして括弧を付与するので、文書中に含まれる強調文字を容易に判別することができるという効果を奏する。
【００４２】
また、請求項１２にかかる発明によれば、領域分割手段が、文字領域抽出手段により抽出された文字領域を１つのコラムが記載されたコラム領域を単位として分割し、背景色変換手段が、領域分割手段により得られたコラム領域毎に異なる規定背景色に変換するので、コラム領域を容易に判別することができるという効果を奏する。
【００４３】
また、請求項１３にかかる発明によれば、規定背景色保持手段が、複数の規定背景色を保持し、背景色変換手段が、各コラム領域の背景を規定背景色保持手段が保持する規定背景色に変換するので、コラム領域を容易に判別することができるという効果を奏する。
【００４４】
また、請求項１４にかかる発明によれば、規定背景色指定受付手段が、領域分割手段により得られた所定のコラム領域と、当該コラム領域に対する規定背景色の指定を受け付け、背景色変換手段が、規定背景色指定受付手段が指定を受け付けたコラム領域の背景色を、規定背景色指定受付手段が指定を受け付けた規定背景色に変換するので、ユーザの所望の色に変換でき、かつコラム領域を容易に判別することができるという効果を奏する。
【００４５】
また、請求項１５にかかる発明によれば、領域分割手段が、文字領域抽出手段により抽出された文字領域を１つのコラムが記載されたコラム領域を単位として分割し、文字色変換手段が、領域分割手段により得られたコラム領域毎に異なる規定文字色に変換するので、コラム領域を容易に判別することができるという効果を奏する。
【００４６】
また、請求項１６にかかる発明によれば、規定文字色保持手段が、複数の規定文字色を保持し、文字色変換手段が、各コラム領域の文字を規定文字色保持手段が保持する規定文字色に変換するので、コラム領域を容易に判別することができるという効果を奏する。
【００４７】
また、請求項１７にかかる発明によれば、規定文字色指定受付手段が、領域分割手段により得られた所定のコラム領域の文字に対する規定文字色の指定を受け付け、背景色変換手段が、規定文字色指定受付手段が指定を受け付けたコラム領域の文字色を、指定を受け付けた規定文字色に変換するので、ユーザの所望の色に変換でき、かつコラム領域を容易に判別することができるという効果を奏する。
【００４８】
また、請求項１８にかかる発明によれば、領域分割手段が、文字領域抽出手段により抽出された文字領域を１つのコラムが記載されたコラム領域を単位として分割し、規定色保持手段が、規定文字色と規定背景色とを対応付けて保持し、文字色変換手段が、領域分割手段により得られた各コラム領域の文字色を、規定色保持手段が保持する異なる規定文字色に変換し、背景色変換手段が、領域分割手段により得られたコラム領域の背景色を、規定色保持手段において当該コラム領域の規定文字色に対応付けられている規定背景色に変換するので、コラム領域を容易に判別することができるという効果を奏する。
【００４９】
また、請求項１９にかかる発明によれば、変換色保持手段が、所定の色と、当該色に対する変換色とを対応付けて保持し、文字色変換手段が、変換色保持手段において記文字色に対応付けられている変換色を規定文字色として特定し、文字色を特定した規定文字色に変換するので、文書をより見易い色に変換することができるという効果を奏する。
【００５０】
また、請求項２０にかかる発明によれば、変換色保持手段が、所定の色と、当該色に対する変換色とを対応付けて保持し、背景色変換手段が、変換色保持手段において背景色に対応付けられている変換色を規定背景色として特定し、背景色を特定した規定背景色に変換するので、  文書をより見易い色に変換することができるという効果を奏する。
【００５１】
また、請求項２１にかかる発明によれば、地肌処理手段が、文字領域抽出手段により抽出された文字領域中の背景に対し、地肌処理を施し、背景色変換手段が、地肌処理手段により地肌処理が施された後の背景領域を規定背景色に変換するので、文書をより見易い色に変換することができるという効果を奏する。
【００５２】
また、請求項２２にかかる発明によれば、高解像度化処理手段が、文字領域抽出手段により抽出された文字領域中の文字に対し、高解像度化処理を施し、文字色変換手段が、高解像度化処理手段により高解像度化処理が施された後の文字を規定文字色に変換するので、文書をより見易い色に変換することができるという効果を奏する。
【００５３】
また、請求項２３にかかる発明によれば、文字領域抽出ステップが、文字を含む画像データから文字が表示されている文字領域を抽出し、文字色変換ステップが、文字領域抽出ステップにおいて抽出された文字領域中の文字の文字色を予め定められた規定文字色に変換し、背景色変換ステップが、文字領域抽出ステップにおいて抽出された文字領域中の文字以外の領域である背景の背景色を予め定められた規定背景色に変換するので、文書をより見易い色に変換することができるという効果を奏する。
【００５４】
また、請求項２４にかかる発明によれば、文字領域抽出ステップが、文字を含む画像データから文字が表示されている文字領域を抽出し、文字色変換ステップが、文字領域抽出ステップにおいて抽出された文字領域中の文字の文字色を予め定められた規定文字色に変換し、背景色変換ステップが、文字領域抽出ステップにおいて抽出された文字領域中の文字以外の領域である背景の背景色を予め定められた規定背景色に変換するので、文書をより見易い色に変換することができるという効果を奏する。
【発明を実施するための最良の形態】
【００５５】
以下に添付図面を参照して、この発明にかかる画像処理装置、画像処理方法および画像処理プログラムの最良な実施の形態を詳細に説明する。
【００５６】
（第１の実施の形態）
図１は、本発明の第１の実施の形態にかかる画像処理装置１０の機能構成を示すブロック図である。画像処理装置１０は、文字画像取得部１００と、文字領域抽出部１０２と、地肌処理部１０４と、色変換表保持部１１０と、色変換部１０６とを備えている。
【００５７】
文字画像取得部１００は、外部から処理対象となる文字画像を取得する。ここで、文字画像とは、文字が表示された画像である。なお、文字画像は、例えば写真など文字以外の画像も含んでいる。
【００５８】
文字領域抽出部１０２は、文字画像取得部１００が取得した文字画像から文字が表示された文字領域を抽出する。文字領域抽出部１０２は、具体的には、文字画像を文字、表、図その他などに分類する。そして、文字については、統合して行を生成し、さらに行を統合して領域とする。詳細については、特開２０００−６７１５８号公報に記載されている。また、特開２０００−１１３１０３号公報に記載されている技術を利用してもよい。
【００５９】
地肌処理部１０４は、文字領域抽出部１０２により抽出された文字領域に対し地肌処理を施す。具体的には、まず背景部分を特定する。背景部分とは、文字以外が表示された部分である。そして、背景部分の色、すなわち背景色を特定する。特定した背景色に基づいて、背景部分の階調を補正する。詳細については、特開２００４−３２０７０１号公報に記載されている。
【００６０】
色変換表保持部１１０は、地肌処理部１０４により地肌処理が施された文字領域の色を他の色に変換するための色変換表を保持している。この色変換表は例えば、文字部分の色を黄色に変換し、背景部分の色を青色に変換するための対応表である。この場合には、黄色が予め定められた規定文字色であり、青色が予め定められた規定背景色である。なお、本実施の形態にかかる色変換表保持部１１０は、特許請求の範囲に記載の変換色保持手段に相当する。
【００６１】
図２−１、図２−２および図２−３は、色変換表保持部１１０が保持している色変換表を示す図である。図２−１、図２−２および図２−３に示す上段の値は、変換前の画像のＲＧＢの各値を示している。下段の値は、変換後のＲＧＢの各値を示している。このように、変換前の各色は、色変換表により予め規定された規定色に変換される。例えば、変換対象となる画色がＲ２５５、Ｇ２５５、Ｂ２５５である場合には、Ｒ０、Ｇ０、Ｂ２５５に変換される。
【００６２】
この表の作成方法としては、たとえば、規定文字色を黄色、規定背景色を青色などと指定する。この規定色に基づいて色変換表が作成される。具体的には、文字色をＲＧＢの三色とし、これをＦＧ［３］と示す。背景色もＲＧＢ三色とし、これをＢＧ［３］と示す。階調レベルが２５６であるから、色変換表をＴＡＢ［３］［２５６］とする。このとき、ＲＧＢに対応する第Ｊ成分（Ｊ＝０，１，２）について、ＦＧ［Ｊ］＝ＢＧ［Ｊ］でない場合、すなわち、背景色と文字色の値が異なる場合には、（式１）により色変換表が作成される。一方、ＦＧ［Ｊ］＝ＢＧ［Ｊ］となる場合には、各色毎の色変換表が作成される。
ＴＡＢ［Ｊ］［Ｋ］  ＝  Ｋ＊（ＢＧ［Ｊ］−ＦＧ［Ｊ］）／２５５＋ＦＧ［Ｊ］      ・・・（式１）
【００６３】
色変換部１０６は、色変換表保持部１１０に保持されている色変換表を利用して、地肌処理部１０４により地肌処理が施された後の文字領域の色変換を行う。
【００６４】
図３は、画像処理装置１０による画像処理を示すフローチャートである。まず、画像処理装置１０の文字画像取得部１００は、外部から処理対象となる文字画像を取得する（ステップＳ１００）。次に、文字領域抽出部１０２は、文字画像取得部１００が取得した文字画像から文字領域を抽出する（ステップＳ１０２）。次に、文字領域抽出部１０２が抽出した文字領域の個数をＮとし（ステップＳ１０４）、文字領域インデックスＩに１を格納する（ステップＳ１０６）。
【００６５】
ＩがＮ以下である場合には（ステップＳ１０８，Ｙｅｓ）、地肌処理部１０４は、文字領域抽出部１０２が抽出したＮ個の文字領域から任意の字領域を選択し、この文字領域に対して地肌処理を施す（ステップＳ１１０）。次に、色変換部１０６は、色変換表保持部１１０が保持している色変換表を利用して、地肌処理が施された後の文字画像に対し色変換を施す（ステップＳ１１２）。
【００６６】
次に、文字領域インデックスＩに「Ｉ＋１」を代入する（ステップＳ１１４）。そして、ステップＳ１０８へ戻り、ステップＳ１１０〜ステップＳ１１４をＩ＝Ｎとなるまで繰り返す（ステップＳ１０８）。
【００６７】
Ｉ＝Ｎとなると（ステップＳ１０８，Ｎｏ）、すなわち文字領域抽出部１０２により抽出されたすべての文字領域に対して色変換が施されると画像処理装置１０による画像処理が完了する。
【００６８】
図４は、文字画像取得部１００が取得する文字画像の一例を示す図である。図４に示す文字画像２００には、文字のほか、写真が表示されている。図２に示す文字画像２００においては、文字領域２１１，２１２が抽出される。なお、抽出されなかった領域は、画像領域２２０である。
【００６９】
図５は、図４に示す文字画像２００において文字領域抽出部１０２が文字領域２１１，２１２を抽出する様子を示す図である。このように、文字領域抽出部１０２は、文字領域２１１，２１２と画像領域２２０とを含む画像の中から文字領域２１１，２１２のみを抽出することができる。
【００７０】
図６は、図５に示す文字領域２１１，２１２に対し色変換を施した後の文字画像２００を示す図である。このように、本実施の形態にかかる画像処理装置１０は、文字領域２１１，２１２のみに色変換を施し、画像領域２２０は元の色のまま残す。
【００７１】
図７は、色変換表保持部１１０が保持する色変換表を利用して、文字画像２００中のすべての領域に対し色変換を施した後の文字画像２００を示す図である。このように、画像領域２２０に対しても色変換表を利用した色変換を施した場合には、画像領域２２０中のハイライト部分まで背景色と同様の色味に色変換されてしまう。すなわち、不適切な色変換が行われる場合がある。
【００７２】
これに対し、本実施の形態にかかる画像処理装置１０は、色変換表保持部１１０が保持する色変換表を利用して色変換を行うが、色変換の対象を、文字領域のみに限定しているため、文字領域をより見易い色に変換しつつ、写真画像については元の色のままに保持するので、色変換により写真画像を不必要に色変換するのを避けることができる。
【００７３】
図８は、実施の形態１に係る画像処理装置１０のハードウェア構成を示す図である。画像処理装置１０は、ハードウェア構成として、画像処理装置１０における画像処理を実行する画像処理プログラムなどが格納されているＲＯＭ５２と、ＲＯＭ５２内のプログラムに従って画像処理装置１０の各部を制御するＣＰＵ５１と、画像処理装置１０の制御に必要な種々のデータを記憶するＲＡＭ５３と、ネットワーク２０に接続して通信を行う通信Ｉ／Ｆ５９と、各部を接続するバス６２とを備えている。
【００７４】
さらに、データファイル（例えば、カラービットマップ画像データ）を記憶する記憶部であるＨＤＤ（Ｈａｒｄ  Ｄｉｓｋ  Ｄｒｉｖｅ）５４等の二次記憶装置、情報を保管したり外部に情報を配布したり外部から情報を入手するためのＣＤ−ＲＯＭドライブ等のリムーバブルディスク装置５５、処理経過や結果等を操作者に表示するＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等の表示装置１１、並びに操作者がＣＰＵ５１に命令や情報等を入力するためのキーボード５７、マウス等のポインティングデバイス５８等を備えている。
【００７５】
先に述べた画像処理装置１０における画像処理プログラムは、インストール可能な形式又は実行可能な形式のファイルでＣＤ−ＲＯＭ、フロッピー（Ｒ）ディスク（ＦＤ）、ＤＶＤ等のコンピュータで読み取り可能な記録媒体に記録されて提供されてもよい。
【００７６】
この場合には、画像処理プログラムは、画像処理装置１０において上記記録媒体から読み出して実行することにより主記憶装置上にロードされ、上記ソフトウェア構成で説明した各部が主記憶装置上に生成されるようになっている。
【００７７】
また、本実施の形態の画像処理プログラムを、インターネット等のネットワークに接続されたコンピュータ上に格納し、ネットワーク経由でダウンロードさせることにより提供するように構成してもよい。
【００７８】
なお、本実施の形にかかる画像処理装置１０は、一般的なパーソナルコンピュータにより実現されるが、これに限るものではなく、ＰＤＡ（Ｐｅｒｓｏｎａｌ  Ｄｉｇｉｔａｌ  Ａｓｓｉｓｔａｎｔｓ）と称される携帯用情報端末、ｐａｌｍＴｏｐＰＣ、携帯電話、ＰＨＳ（Ｐｅｒｓｏｎａｌ  Ｈａｎｄｙｐｈｏｎｅ  Ｓｙｓｔｅｍ）等において実現されてもよい。
【００７９】
画像処理装置１０においては、ユーザが電源を投入するとＣＰＵ５１がＲＯＭ５２内のローダーというプログラムを起動させ、ＨＤＤ５４よりオペレーティングシステムというコンピュータのハードウェアとソフトウェアとを管理するプログラムをＲＡＭ５３に読み込み、このオペレーティングシステムを起動させる。
【００８０】
このようなオペレーティングシステムは、ユーザの操作に応じてプログラムを起動したり、情報を読み込んだり、保存を行ったりする。オペレーティングシステムのうち代表的なものとしては、Ｗｉｎｄｏｗｓ（登録商標）、ＵＮＩＸ（登録商標）等が知られている。これらのオペレーティングシステム上で走る動作プログラムをアプリケーションプログラムと呼んでいる。
【００８１】
このように、画像処理装置１０は、アプリケーションプログラムとして、画像処理プログラムをＨＤＤ５４に記憶してもよい。この意味で、ＨＤＤ５４は、画像処理プログラムを記憶する記憶媒体として機能する。
【００８２】
画像処理装置１０は、オペレーティングシステム上で動作する画像処理プログラムが起動すると、この画像処理プログラムに従い、ＣＰＵ５１が各種の演算処理を実行して各部を集中的に制御する。
【００８３】
なお、リアルタイム性が重要視される場合には、処理を高速化する必要がある。そのためには、論理回路（図示せず）を別途設け、論理回路の動作により各種の演算処理を実行するようにするのが望ましい。
【００８４】
以上、本発明を実施の形態を用いて説明したが、上記実施の形態に多様な変更または改良を加えることができる。
【００８５】
そうした第１の変更例としては、本実施の形態においては、文字領域を抽出した後に、地肌処理を行うこととしたが、文字領域の抽出と地肌処理とはいずれを先に行うこととしてもよい。
【００８６】
また、第２の変更例としては、本実施の形態にかかる画像処理装置１０は、地肌処理部１０４を備えたが、これを備えなくともよい。この場合には、色変換部１０６は、文字領域抽出部１０２により抽出された文字領域に対し直接色変換を施せばよい。
【００８７】
図９は、第３の変更例にかかる画像処理装置１０の機能構成を示すブロック図である。第３の変更例にかかる画像処理装置１０は、第１の実施の形態にかかる画像処理装置１０の機能構成に加えて、さらに高解像度処理部１１２を備えている。高解像度処理部１１２は、地肌処理部１０４により地肌処理が施された文字画像に対し、高解像度処理を施す。
【００８８】
具体的には、文字部分の輝度曲面を生成する。そして、輝度曲面において、極小部分を文字の一部として再現する。詳細については、特開２００５−６３０５５号公報に記載されている。このように、各文字に対し高解像度処理を施すことにより、文字画像２００をより見易いものにすることができる。
【００８９】
図１０は、第４の変更例にかかる画像処理装置１０の機能構成を示すブロック図である。第４の変更例にかかる画像処理装置１０は、第３の変更例にかかる画像処理装置１０と同様高解像度処理部１１２を備えている。ただし、第４の変更例にかかる画像処理装置１０においては、高解像度処理は、地肌処理よりも前に行われる。
【００９０】
なお、第３の変更例および第４の変更例においては、文字領域を抽出した後に、高解像度処理を施すこととしたが、文字領域の抽出と高解像度処理とはいずれを先に行うこととしてもよい。
【００９１】
第５の変更例としては、本実施の形態においては、色変換部１０６は、色変換表保持部１１０に保持されている色変換表を利用して、文字領域中の文字色および背景色を変換したが、これにかえて、ユーザの所望の色に変換することとしてもよい。この場合には、図示せぬ規定文字色指定受付手段がユーザから文字色の指定を受け付ける。さらに、図示せぬ規定背景色指定受付手段がユーザから背景色の指定を受け付ける。そして、色変換表保持部１１０は、ユーザから指定を受け付けた文字色および背景色に変換する。
【００９２】
第６の変更例としては、本実施の形態においては、文字色の色変換および背景色の色変換に対し同一の色変換表を利用したが、これにかえて、文字色の色変換に利用する色変換表と背景色の色変換に利用する色変換表とをそれぞれ保持することとしてもよい。
【００９３】
（第２の実施の形態）
図１１は、第２の実施の形態にかかる画像処理装置１０の機能構成を示すブロック図である。実施の形態２にかかる画像処理装置１０は、第１の実施の形態にかかる画像処理装置１０の機能構成に加えてさらに強調文字抽出部１２０と、強調処理部１２２とを備えている。
【００９４】
強調文字抽出部１２０は、文字領域抽出部１０２により抽出された文字領域に含まれる各文字の色である文字色に基づいて、強調文字を抽出する。強調処理部１２２は、強調文字抽出部１２０により抽出された強調文字が強調文字であることを認識させるべく、強調文字の表示態様を変更する。色変換部１０６は、強調処理が施された後の文字部分に対し色変換を施す。
【００９５】
図１２は、第２の実施の形態にかかる画像処理装置１０による画像処理を示すフローチャートである。文字領域インデックスＩがＮ以下である場合には（ステップＳ１０８，Ｙｅｓ）、強調文字処理を行い（ステップＳ１２０）、その後に、地肌処理を行う（ステップＳ１１０）。
【００９６】
図１３は、図１２に示す強調文字処理（ステップＳ１２０）における詳細な処理を示すフローチャートである。強調文字処理（ステップＳ１２０）においては、強調文字抽出部１２０は、文字領域抽出部１０２により抽出された文字領域に含まれる各文字の文字色を特定する（ステップＳ２００）。次に、文字色毎に文字をクラスに分類する（ステップＳ２０２）。次に、クラスに分類した文字のうち文字数の少ないクラスに属する文字を強調文字と特定する（ステップＳ２０４）。そして、強調文字として特定した文字を抽出する（ステップＳ２０６）。
【００９７】
次に、抽出した文字に対し強調処理を施す（ステップＳ２０８）。その後、強調処理が施された強調文字の色を同一の文字領域内に含まれる他の文字の色に変換する（ステップＳ２１０）。このように、強調文字の色を他の文字の色と同一とすることにより、ステップＳ２０６における色変換表を利用した色変換によりすべての文字をほぼ等しい色に変換することができる。
【００９８】
図１４は、強調文字を含む文字画像２００を示す図である。図１４に示す文字画像２００においては、文字領域２１１，２１２中の文字の大半は黒で表示されている。ただし、文字領域２１１中の「全国の天気」、「関東地方の天気」の文字は、グレーで表示されている。また、文字領域２１２の「北海道値地方の天気」、「東北地方の天気」もグレーで表示されている。このように、他の文字と異なる色で表示されている文字が強調文字である。
【００９９】
このような黒以外の文字を色変換表保持部１１０が保持する色変換表で変換した場合、他の文字と異なる色で表示することはできるが、見易さの観点からは好ましくない色に変換される可能性がある。そこで、本実施の形態においては、強調処理を施すこととしている。
【０１００】
図１５は、図１４に示す文字画像２００に対し強調処理を施した結果を示す図である。このように、強調文字は、標準形式から斜体表示に変更されている。すなわち、図１５に示す強調文字は、強調処理として書体が斜体に変更されている。
【０１０１】
これ以外にも、強調処理として、書体を太字に変更してもよい。また、他の例としては、書体を他の書体に変更してもよい。
【０１０２】
図１６は、強調処理として網掛けされた強調文字を示す図である。図１６に示す強調文字の周辺領域は網掛けされている。このように、網掛けすることにより、強調文字の表示態様を他の文字と異ならせてもよい。
【０１０３】
なお、第２の実施の形態にかかる画像処理装置１０のこれ以外の構成および処理は、第１の実施の形態にかかる画像処理装置１０の構成および処理と同様である。
【０１０４】
（第３の実施の形態）
図１７は、第３の実施の形態にかかる画像処理装置１０の機能構成を示すブロック図である。第３の実施の形態にかかる画像処理装置１０は、第２の実施の形態にかかる画像処理装置１０の機能構成に加えて、さらに行方向判定部１２４を備えている。
【０１０５】
行方向判定部１２４は、文字領域抽出部１０２により抽出された文字領域に含まれる文字の行方向を判定する。すなわち、縦書きの文書であるか横書きの文書であるかを判定する。そして、強調処理部１２２は、行方向判定部１２４により判定された行方向に応じて定まる位置に強調マークを付与する。
【０１０６】
具体的には、縦書きの場合には、文字の右または左に強調マークとして、線を付与することにより他の文字と表示態様を異ならせる。また、横書きの場合には、文字の下に線を付与することにより他の文字と表示態様を異ならせる。なお、付与される線は、特に限定されるものではなく、直線であっても、波線であってもよい。また、破線であってもよい。また、二重線であってもよい。
【０１０７】
また他の例としては、縦書きの場合には、文字の右または左に強調マークとして、ドットを付与することにより他の文字と表示態様を異ならせてもよい。また、横画木の場合には、文字の上または下にドットを付与してもよい。
【０１０８】
図１８は、第３の実施の形態にかかる画像処理装置１０による強調文字処理（ステップＳ１２０）における詳細な処理を示すフローチャートである。強調文字処理（ステップＳ１２０）においては、まず、行方向判定部１２４は、行方向を判定する（ステップＳ２２０）。その後、各文字の文字色が特定される（ステップＳ２００）。
【０１０９】
また、強調文字が抽出されると（ステップＳ２０６）、強調処理部１２２は、強調マークを付与する（ステップＳ２２２）。以上で、強調文字処理（ステップＳ１２０）が完了する。
【０１１０】
図１９は、強調マークとして直線が付与された例を示す図である。このように、行判定により縦書きであると判定された場合には、強調文字の右に直線が付与される。また、行判定により横書きであると判定された場合には、強調文字の下に直線が付与される。
【０１１１】
このように、直線が付与されることにより、閲覧者は、対応する文字が強調文字であることを容易に把握することができる。
【０１１２】
図２０は、強調マークおいてドットが付与された例を示す図である。このように、行判定により縦書きであると判定された場合には、強調文字に右にドットが付与される。また、行判定により横書きであると判定された場合には、強調文字の上にドットが付与される。この場合にも、ドットが付与されることにより、閲覧者は、対応する文字が強調文字であることを容易に把握することができる。
【０１１３】
なお、第３の実施の形態にかかる画像処理装置１０のこれ以外の構成および処理は、第２の実施の形態にかかる画像処理装置１０の構成および処理と同様である。
【０１１４】
（第４の実施の形態）
図２１は、第４の実施の形態にかかる画像処理装置１０の機能構成を示すブロック図である。第４の実施の形態にかかる画像処理装置１０は、第３の実施の形態にかかる画像処理装置１０の機能構成に加えて、さらに開始終了位置特定部１２６を備えている。
【０１１５】
開始終了位置特定部１２６は、強調文字抽出部１２０により特定された強調文字の開始位置と終了位置とを特定する。具体的には、行方向判定部１２４により特定された行方向に沿って強調文字を検索し、最初に検出された強調文字の直前を開始位置として特定する。また、最後に検出された強調文字の直後を終了位置として特定する。
【０１１６】
さらに、第４の実施の形態にかかる強調処理部１２２は、開始終了位置特定部１２６により特定された開始位置および終了位置それぞれに対し、強調文字の開始位置および終了位置であることを示す強調マークを付与する。具体的には、例えば、開始位置と終了位置に一組の括弧を表示する。なお、括弧の形式は特に限定されるものではない。
【０１１７】
図２２は、第４の実施の形態にかかる画像処理装置１０による強調文字処理（ステップＳ１２０）における詳細な処理を示すフローチャートである。強調文字を抽出した後（ステップＳ２０６）、開始終了位置特定部１２６は、強調文字の開始位置および終了位置を特定する（ステップＳ２２４）。次に、開始位置および終了位置に一組の括弧を強調マークとして付与する（ステップＳ２２６）。その後、ステップＳ２１０へ進む。
【０１１８】
図２３は、強調文字の開始位置と終了位置に強調マークとしての強調括弧が付与された例を示す図である。このように、縦書きおよび横書きのいずれの場合にも、開始位置と終了位置に強調マークが付与される。
【０１１９】
このように、強調括弧を付与することにより、閲覧者は、強調文字の開始位置と終了位置を視認することができる。
【０１２０】
なお、第４の実施の形態にかかる画像処理装置１０のこれ以外の構成および処理は、第３の実施の形態にかかる画像処理装置１０の構成および処理と同様である。
【０１２１】
（第５の実施の形態）
図２４は、第５の実施の形態にかかる画像処理装置１０の機能構成を示すブロック図である。第５の実施の形態にかかる画像処理装置１０は、第１の実施の形態にかかる画像処理装置１０の機能構成に加えて、さらにコラム特定部１３０を備えている。コラム特定部１３０は、文字領域抽出部１０２により抽出された文字領域に複数のコラムが含まれている場合には、コラム単位に分割し、複数のコラム領域を得る。色変換部１０６は、色変換表保持部１１０が保持している色変換表を利用して、コラム特定部１３０により得られた各コラム領域に対し色変換を行う。
【０１２２】
図２５は、色変換表保持部１１０のデータ構成を模式的に示す図である。このように、第５の実施の形態にかかる色変換表保持部１１０は、変換後の文字色と背景色との組み合わせを複数保持している。なお実施の形態にかかる色変換表保持部１１０は、特許請求の範囲に記載の規定文字色保持手段、規定背景色保持手段および規定色保持手段に相当する。色変換部１０６は、各コラム領域に色変換表保持部１１０に保持されている互いに異なる組み合わせを適用する。すなわち、あるコラム領域に対して、組み合わせ「００１」を適用し、文字色を白に変換し、背景色を黒に変換した場合には、他のコラム領域に対しては、組み合わせ「００１」以外の組み合わせを適用する。
【０１２３】
このように、各コラム領域の配色を異ならせることにより、コラム領域が明確となり、文書画像の見易さを向上させることができる。
【０１２４】
図２６は、第５の実施の形態にかかる画像処理装置１０による画像処理を示すフローチャートである。地肌処理（ステップＳ１１０）の後に、コラム特定部１３０は、文字領域抽出部１０２により特定された文字領域中のコラム領域を特定する（ステップＳ１３０）。次に、色変換部１０６は、コラム領域毎に色変換を行う（ステップＳ１１２）。
【０１２５】
図２７は、コラム領域毎に色変換された後の文字画像２００を示す図である。このように、異なるコラム領域である文字領域２１１，２１２は、それぞれ異なる配色に変換されている。
【０１２６】
なお、第５の実施の形態にかかる画像処理装置１０のこれ以外の構成および処理は、第１の実施の形態にかかる画像処理装置１０の構成および処理と同様である。
【０１２７】
第５の実施の形態の第１の変更例としては、本実施の形態においては、各コラム領域は、自動的に異なる配色に色変換されたが、これにかえてユーザから指定された配色に色変換されてもよい。具体的には、ユーザが、図２５に示す色変換表に示される組み合わせの中から所望の組み合わせを選択すると、色変換部１０６は、選択された組み合わせに色変換する。すなわち、本例にかかる色変換部１０６は、特許請求の範囲に記載の規定文字色指定受付手段および規定背景色指定受付手段に相当する。
【図面の簡単な説明】
【０１２８】
【図１】本発明の第１の実施の形態にかかる画像処理装置１０の機能構成を示すブロック図である。
【図２−１】色変換表保持部１１０が保持している色変換表を示す図である。
【図２−２】色変換表保持部１１０が保持している色変換表を示す図である。
【図２−３】色変換表保持部１１０が保持している色変換表を示す図である。
【図３】画像処理装置１０による画像処理を示すフローチャートである。
【図４】文字画像取得部１００が取得する文字画像の一例を示す図である。
【図５】図４に示す文字画像２００において文字領域抽出部１０２が文字領域２１１，２１２を抽出する様子を示す図である。
【図６】図５に示す文字領域２１１，２１２に対し色変換を施した後の文字画像２００を示す図である。
【図７】色変換表保持部１１０が保持する色変換表を利用して、文字画像２００中のすべての領域に対し色変換を施した後の文字画像２００を示す図である。
【図８】実施の形態１に係る画像処理装置１０のハードウェア構成を示す図である。
【図９】第３の変更例にかかる画像処理装置１０の機能構成を示すブロック図である。
【図１０】第４の変更例にかかる画像処理装置１０の機能構成を示すブロック図である。
【図１１】第２の実施の形態にかかる画像処理装置１０の機能構成を示すブロック図である。
【図１２】第２の実施の形態にかかる画像処理装置１０による画像処理を示すフローチャートである。
【図１３】図１２に示す強調文字処理（ステップＳ１２０）における詳細な処理を示すフローチャートである。
【図１４】強調文字を含む文字画像２００を示す図である。
【図１５】図１４に示す文字画像２００に対し強調処理を施した結果を示す図である。
【図１６】強調処理として網掛けされた強調文字を示す図である。
【図１７】第３の実施の形態にかかる画像処理装置１０の機能構成を示すブロック図である。
【図１８】第３の実施の形態にかかる画像処理装置１０による強調文字処理（ステップＳ１２０）における詳細な処理を示すフローチャートである。
【図１９】強調マークとして直線が付与された例を示す図である。
【図２０】強調マークおいてドットが付与された例を示す図である。
【図２１】第４の実施の形態にかかる画像処理装置１０の機能構成を示すブロック図である。
【図２２】第４の実施の形態にかかる画像処理装置１０による強調文字処理（ステップＳ１２０）における詳細な処理を示すフローチャートである。
【図２３】強調文字の開始位置と終了位置に強調マークとしての強調括弧が付与された例を示す図である。
【図２４】第５の実施の形態にかかる画像処理装置１０の機能構成を示すブロック図である。
【図２５】色変換表保持部１１０のデータ構成を模式的に示す図である。
【図２６】第５の実施の形態にかかる画像処理装置１０による画像処理を示すフローチャートである。
【図２７】コラム領域毎に色変換された後の文字画像２００を示す図である。
【符号の説明】
【０１２９】
１０  画像処理装置
１１  表示装置
２０  ネットワーク
５１  ＣＰＵ
５２  ＲＯＭ
５３  ＲＡＭ
５４  ＨＤＤ
５５  リムーバブルディスク装置
５６  表示装置
５７  キーボード
５８  ポインティングデバイス
５９  通信I／Ｆ
６２  バス
１００  文字画像取得部
１０２  文字領域抽出部
１０４  地肌処理部
１０６  色変換部
１１０  色変換表保持部
１１２  高解像度処理部
１２０  強調文字抽出部
１２２  強調処理部
１２４  行方向判定部
１２６  開始終了位置特定部
１３０  コラム特定部
２００  文字画像
２１１，２１２  文字領域
２２０  画像領域
【図１】
2007088782.tif 000003
【図２−１】
2007088782.tif 000004
【図２−２】
2007088782.tif 000005
【図２−３】
2007088782.tif 000006
【図３】
2007088782.tif 000007
【図４】
2007088782.tif 000008
【図５】
2007088782.tif 000009
【図６】
2007088782.tif 000010
【図７】
2007088782.tif 000011
【図８】
2007088782.tif 000012
【図９】
2007088782.tif 000013
【図１０】
2007088782.tif 000014
【図１１】
2007088782.tif 000015
【図１２】
2007088782.tif 000016
【図１３】
2007088782.tif 000017
【図１４】
2007088782.tif 000018
【図１５】
2007088782.tif 000019
【図１６】
2007088782.tif 000020
【図１７】
2007088782.tif 000021
【図１８】
2007088782.tif 000022
【図１９】
2007088782.tif 000023
【図２０】
2007088782.tif 000024
【図２１】
2007088782.tif 000025
【図２２】
2007088782.tif 000026
【図２３】
2007088782.tif 000027
【図２４】
2007088782.tif 000028
【図２５】
2007088782.tif 000029
【図２６】
2007088782.tif 000030
【図２７】
2007088782.tif 000031